(57)【要約】【課題】ボトル本体内の内容物の量が変化したときでも取り扱い性の低下を抑えることができる把手付きボトル容器を提供することを目的とする。【解決手段】ボトル本体１０に凸設された装着凸部３０に把手部材４０が装着されてなる把手付きボトル容器１において、把手部材４０は、装着凸部３０が挿入される装着孔４４が形成された装着部４１と装着部４１に連結されボトル底部側からボトル口部側へ向けて延びた柄部４２とを有し、ボトル本体１０に対して装着凸部３０の中心軸線Ｏ周りに相対的に回転可能に装着され、装着孔４４は、柄部４２の長さ方向中央部４２ａからその長さ方向にずれた位置に形成され、ボトル本体１０には、中心軸線Ｏを装着凸部３０径方向に挟んで対称配置された一対の被係合部２４，２５が設けられ、把手部材４０には、上記相対回転により、一対の被係合部２４，２５のうちの何れか一方に択一的に係合する係合部４９が設けられている。【選択図】図１
2008296937.tif 000002
【特許請求の範囲】
【請求項１】
ボトル本体に凸設された装着凸部に把手部材が装着されて構成される把手付きボトル容器において、
前記把手部材は、前記装着凸部が挿入される装着孔が形成された装着部と、該装着部に連結されボトル底部側からボトル口部側へ向けて延びた柄部と、を有し、前記ボトル本体に対して前記装着凸部の中心軸線周りに相対的に回転可能に装着されており、
前記装着孔は、前記柄部の長さ方向中央部から該長さ方向にずれた位置に形成されており、
前記ボトル本体には、前記中心軸線を装着凸部径方向に挟んで対称に配置された一対の被係合部が設けられ、
前記把手部材には、前記ボトル本体に対する前記中心軸線周りの相対回転により、前記一対の被係合部のうちの何れか一方に択一的に係合する係合部が設けられていることを特徴とする把手付きボトル容器。
【発明の詳細な説明】
【技術分野】
【０００１】
本発明は、ボトル本体に把手部材が装着されて構成される把手付きボトル容器に関するものである。
【背景技術】
【０００２】
従来、前述の把手付ボトル容器としては、例えば特許文献１に開示されているように、円筒状をなす装着凸部が形成されたボトル本体と、前記装着凸部と係合可能な係止口が設けられた把手部材とを有するものが提案されている。この把手付ボトル容器においては、前記装着凸部にその径方向外側へ向けて突出する複数の係止片が設けられており、装着凸部を係止口に挿入してボトル本体と把手部材とを相対的に回転させ、係止口と係止片とを係合させてボトル本体と把手部材とを固定する構成とされている。
【特許文献１】実公平４−３３２４１号公報
【発明の開示】
【発明が解決しようとする課題】
【０００３】
しかしながら、上記した従来の把手付きボトル容器においては、ボトル本体の内容量が大きい場合、ボトル本体内の内容物の量が変化すると、ボトル重心位置が大きく変化するので、注ぎ易さや持ち運び易さなどの取り扱い性が低下し易いという問題がある。。
【０００４】
本発明は、上記した従来の問題が考慮されたものであり、ボトル本体内の内容物の量が変化したときでも取り扱い性が低下するのを抑えることができる把手付きボトル容器を提供することを目的としている。
【課題を解決するための手段】
【０００５】
本発明に係る把手付きボトル容器は、ボトル本体に凸設された装着凸部に把手部材が装着されて構成される把手付きボトル容器において、前記把手部材は、前記装着凸部が挿入される装着孔が形成された装着部と、該装着部に連結されボトル底部側からボトル口部側へ向けて延びた柄部と、を有し、前記ボトル本体に対して前記装着凸部の中心軸線周りに相対的に回転可能に装着されており、前記装着孔は、前記柄部の長さ方向中央部から該長さ方向にずれた位置に形成されており、前記ボトル本体には、前記中心軸線を装着凸部径方向に挟んで対称に配置された一対の被係合部が設けられ、前記把手部材には、前記ボトル本体に対する前記中心軸線周りの相対回転により、前記一対の被係合部のうちの何れか一方に択一的に係合する係合部が設けられていることを特徴としている。
【０００６】
上記した把手付きボトル容器では、把手部材の回転中心が柄部の長さ方向中央部に対して偏心しているため、把手部材をボトル本体に対して相対的に中心軸線周りに１８０度回転させると、柄部のボトル軸方向位置が変更される。具体的に説明すると、柄部の長さ方向中央部が装着凸部の中心軸線のボトル軸方向上側に位置するように、把手部材が装着凸部に装着されたとき、把手部材に設けられた係合部が一方の被係合部に係合され、把手部材のボトル本体に対する相対回転が規制される。一方、上記した状態の把手部材を中心軸線周りに１８０度回転させると、柄部の長さ方向中央部が装着凸部の中心軸線のボトル軸方向下側になり、柄部が上記した回転前の状態と比較してボトル軸方向下側に配設された状態で、把手部材に設けられた係合部が他方の被係合部に係合され、把手部材のボトル本体に対する相対回転が規制される。
【発明の効果】
【０００７】
本発明に係る把手付きボトル容器によれば、把手部材の柄部のボトル軸方向位置が２段階に調整可能であり、内容物が収納されたボトル本体の重心位置に応じて柄部のボトル軸方向位置を調節することができる。したがって、ボトル本体内の内容物の量が変化したときでも、ボトル重心位置の変化に応じて柄部のボトル軸方向位置を調節することで、注ぎ易くなったり持ち運び易くなったりし、取り扱い性を向上させることができる。
【発明を実施するための最良の形態】
【０００８】
以下に、本発明の実施形態について添付した図面を参照して説明する。
図１は把手取付面側から見た把手付ボトル容器１の側面図であり、図２は把手取付面に直交する方向から見た把手付ボトル容器１の側面図であり、図３は後述する装着凸部３０を装着孔４４に装着させた状態を表した部分側面図であり、図４は後述する装着凸部３０を装着孔４４に挿入した状態の一例を表した把手付ボトル容器１の側面図である。
なお、図１から図３に示す鎖線Ｌはボトル軸を示している。また、ボトル軸Ｌ方向の口部１４側（図１から図３における上側）を上方とし、ボトル軸Ｌ方向の底部１２側（図１から図３における下側）を下方とし、ボトル軸Ｌの延在方向を上下方向とする。また、後述する垂直壁２１に沿った方向においてボトル軸Ｌに直交する方向（図１における横方向）を左右方向とする。
【０００９】
図１、図２に示すように、本実施形態である把手付ボトル容器１は、ボトル本体１０と、このボトル本体１０に装着される把手部材４０とを有している。
【００１０】
ボトル本体１０は、ボトル軸Ｌに沿って延びる胴部１１と、この胴部１１の下端部に連設される底部１２と、前記胴部１１の上端部に連設されて上側に向かうにしたがい漸次縮径された肩部１３と、この肩部１３の上端部に連設されて上方に向けて延在した口部１４とを備えている。これら、胴部１１、底部１２、肩部１３及び口部１４は、例えばポリエチレンテレフタレート（ＰＥＴ）等の合成樹脂によりボトル軸Ｌを共通軸として一体に形成されている。なお、胴部１１は、把手部材４０が装着される上側胴部１１ａと概略矩形状に形成された下側胴部１１ｂとから構成されている。
【００１１】
胴部１１における下側胴部１１ｂは、ボトル軸Ｌを挟んで互いに対向する一対の短辺側壁面１１Ａ、１１Ａ及び一対の長辺側壁面１１Ｂ，１１Ｂを備えている。
一方、上側胴部１１ａにおいて、一対の短辺側壁面１１Ａ，１１Ａのうち一方側（図２における右側）に位置する短辺側壁面１１Ａの上端に連なる部分から肩部１３にわたる部分には、ボトル本体１０の内側に向けて凹んだ凹部２０が設けられている。この凹部２０は、ボトル軸Ｌと平行に延びる垂直壁２１を有しており、この垂直壁２１の上端には、垂直壁２１からボトル径方向外側に突出した水平壁２２が形成されているとともに、垂直壁２１の下端には、下側胴部１１ｂに連なる傾斜壁２３が形成されている。
【００１２】
また、上記垂直壁２１の上下方向及び左右方向の中央位置には、ボトル径方向外側へ突出するように装着凸部３０が凸設されている。この装着凸部３０は、基端側に円形台座部３１が設けられ、この円形台座部３１の先端面に装着凸部本体３２が凸設された構成からなる。円形台座部３１と装着凸部本体３２とは同軸（中心軸線Ｏ）上に設けられている。
【００１３】
円形台座部３１は、装着凸部３０の中心軸線Ｏを中心にした円形状の台座である。円形台座部３１の外径は、後述する装着孔４４の内径と略同一径になっており、円形台座部３１の外周面は、装着孔４４の内周面に摺接する摺動面３３となっている。
【００１４】
装着凸部本体３２は、図１に示すように、その突出方向に対向する側から見て、左右方向に長い小判形状を成している。装着凸部本体３２の左右両側の側面部分が、それぞれ左右方向に向けて円弧状に凸となる凸曲部３４とされ、装着凸部本体３２の上下部分が、装着凸部３０の突出方向に対向する側から見て、装着凸部本体３２の外周面上で弦を成す平面部３５とされている。凸曲部３４は、円形台座部３１の外周縁と同一の曲率半径（円形台座部３１の半径）になっている。平面部３５は、左右方向に延在されている。
【００１５】
装着凸部本体３２の基端部（円形台座部３１側）の外周面には、装着凸部３０の径方向の内方に向う深さが一定の係合凹溝３６が全周に亘って形成されている。この係合凹溝３６の底面には、装着凸部３０の径方向外側へ向けて突出された凸部３７が形成されている。この凸部３７は、係合凹溝３６の底面のうち、装着凸部３０の左右両側の側面部分の位置にそれぞれ設けられている。つまり、左右の凸曲部３４の中央位置における係合凹溝３６の底面に、凸部３７がそれぞれ配設されている。凸部３７は、把手部材４０を装着凸部３０に装着したときに後述する凹部４６に係合されるものであり、略半円形状の突起である。
【００１６】
一方、上記した水平壁２２および傾斜壁２３には、後述する係合部４９が係合する第一、第二被係合部２４、２５がそれぞれ設けられている。具体的に説明すると、水平壁２２の左右方向の中央位置には、下方に向けて開口されて後述する係合部４９が嵌め込まれる凹形状の第一被係合部２４が形成されている。一方、傾斜壁２３の左右方向の中央位置には、上方に向けて開口されて後述する係合部４９が嵌め込まれる凹形状の第二被係合部２５が形成されている。これら第一、第二被係合部２４，２５は、上記した装着凸部３０の中心軸線Ｏを上下方向（装着凸部３０の径方向）に挟んで対称に配設されている。
【００１７】
次に、把手部材４０について説明する。
把手部材４０は、側面視して図２に示すように環状をなす部材であり、ボトル本体１０に対して装着凸部３０の中心軸線Ｏ周りに相対的に回転可能に装着されるものである。把手部材４０は、上記装着凸部３０に嵌められる装着部４１に支持部４３を介して柄部４２が連結された構成からなる。
【００１８】
詳説すると、装着部４１は、垂直壁２１に摺接された概略円環状の部材であり、装着部４１には、断面概略円形をなす装着孔４４が形成されている。この装着孔４４は上記した装着凸部３０が挿入される円形の孔であり、装着孔部４４の内径は上記した円形台座部３１の外径と略同一となっており、装着孔部４４の内周面は上記摺動面３３に摺動可能になっている。つまり、装着孔４４の内周面は、把手部材４０とボトル本体１０との相対回転に伴い上記摺動面３３上を摺動し前記相対回転を案内する案内部となっている。
【００１９】
また、装着孔４４は、柄部４２の長さ方向中央部４２ａからその長さ方向（柄軸Ｇ方向）にずれた位置に形成されている。つまり、装着部４１は、把手部材４０において、柄軸Ｇ方向の片側（図１、図２に示す状態では下側）に寄せて配設されており、把手部材４０の回転中心である装着孔４４の中心位置（中心軸線Ｏ）は、装着凸部３０の突出方向に対向する側から見て、柄部４２の長さ方向中央部４２ａと一致してなく柄軸Ｇ方向に離間されている。
【００２０】
上記した装着孔４４の内周面には、把手部材４０を装着凸部３０に装着した状態で、この装着凸部３０を左右方向の両側から挟むように配置された一対の当接部４５，４５が設けられている。当接部４５，４５は、上記した係合凹溝３６の内側に嵌め込まれ、係合凹溝３６の底面に圧接されている。そして、これらの当接部４５，４５および上記係合凹溝３６の底面のうちの少なくとも一方が、他方から離れる方向に弾性変形している。なお、当接部４５，４５と係合凹溝３６の底面とは、弾性変形させずに、単に接触させるようにしてもよい。
【００２１】
また、当接部４５，４５は、装着凸部３０の突出方向に対向する側から見て、装着孔４４の内周面上で弦を成す平面部４８の中央に、装着孔４４の径方向外側へ向けて凹んだ凹部４６が形成されている。この凹部４６は、把手部材４０を装着凸部３０に装着したときに上記凸部３７が係合されるものであり、円弧状に湾曲した形状となっている。なお、凹部４６及び凸部３７の形状は、台形などの多角形であってもよい。
【００２２】
支持部４３は、装着部４１の一端からその径方向外側へ突出された矩形の板状部材であり、垂直壁２１に摺動可能に当接されている。具体的に説明すると、図１、図２に示す状態では、支持部４３は、装着部４１の上端から上方に向けて延設されている。なお、把手部材４０を図１、図２に示す状態から１８０度回転させて装着凸部３０に装着させた場合、支持部４３は、装着部４１の下端から下方に向けて延設される。
【００２３】
支持部４３の先端（装着部４１側と反対側の端部）には、凸形状の係合部４９が凸設されている。係合部４９は、支持部４３の先端面から支持部４３の軸線延長線上に沿って突出されている。この係合部４９は、把手部材４０がボトル本体１０に対して相対回転することにより、上記した凹形状の第一、第二被係合部２４、２５内に択一的に嵌め込まれて係合される。係合部４９が第一、第二被係合部２４，２５に係合されることにより、ボトル本体１０に対する把手部材４０の相対回転が規制される。具体的に説明すると、係合部４９が第一被係合部２４に係合されると、柄部４２の長さ方向中央部４２ａが中心軸線Ｏの上方に配置されて柄部４２が上側寄りに配設される。一方、係合部４９が第二被係合部２５に係合されると、柄部４２の長さ方向中央部４２ａが中心軸線Ｏの下方に配置されて柄部４２が下側寄りに配設される。
【００２４】
柄部４２は、ボトル本体１０の底部１２側から口部１４側へ向けて延びた矩形の板状部材である。詳しく説明すると、柄部４２は、装着部４１や支持部４３、装着凸部３０の先端面３０ａからボトル径方向外側（図２における右側）に離間した位置で垂直壁２１と平行に延設された中間部と、この中間部の両端からボトル径方向内側（図２における左側）にそれぞれ屈曲された両端部とを備え、左右方向から見てコ字形状を成している。この柄部４２の一端（図１、図２に示す状態では上端）は支持部４３の先端部（図１、図２に示す状態では上端）に連結され、柄部４２の他端（図１、図２に示す状態では下端）は装着部４１の他端部（図１、図２に示す状態では下端）に連結されている。また、柄部４２は、その長さ方向中央部４２ａが中心軸線Ｇからその長さ方向（柄軸Ｇ方向）に離間するように配設されている。
【００２５】
上述した構成からなる把手部材４０が以下のようにしてボトル本体１０に装着されることにより、本実施形態である把手付ボトル容器１が構成される。
まず、図４に示すように、装着孔４４の内側に装着凸部３０を挿入させるようにして、ボトル本体１０の装着凸部３０に把手部材４０の装着部４１を嵌める。このとき、ボトル本体１０のボトル軸Ｌに対して９０°の方向に柄部４２が延在するように、把手部材４０を配置する。すなわち、一対の当接部４５，４５が装着凸部３０を上下に挟んで平面部３５における係合凹溝３６にそれぞれ対向するように、把手部材４０を配置する。このとき、装着孔４４の内周面は、円形台座部３１の外周面（摺動面３３）に摺動可能に当接された状態となる。また、装着凸部３０を装着孔４４に挿入させる際、円形台座部３１によって位置合わせが行われ、装着孔４４と装着凸部３０との中心位置が合わせられる。
【００２６】
このように装着孔４４に装着凸部３０を挿入した後に、把手部材４０とボトル本体１０とを装着凸部３０の中心軸線Ｏ周りに相対的に回転させる。このとき、円形台座部３１の摺動面３３上を装着孔４４の内周面が摺動する。そして、上記相対回転に伴い、各当接部４５，４５が係合凹溝３６の内側にそれぞれ収容され、ボトル本体１０と把手部材４０とが相対的に９０°回転したところで、各当接部４５，４５の平面部４８が係合凹溝３６の底面にそれぞれ密接するとともに、凸部３７が凹部４６に係合される。これにより、把手部材４０が抜け止めされるとともに、ボトル本体１０と把手部材４０との相対回転が規制される。さらに、ボトル本体１０と把手部材４０とが相対的に９０°回転したところで、把手部材４０に付設された係合部４９が、第一被係合部２４又は第二被係合部２５に係合される。具体的に説明すると、図４に示す状態では、装着凸部３０の突出方向に対向する側から見て、把手部材４０をボトル本体１０に対して相対的に反時計回りに９０°回転させると、係合部４９が第一被係合部２４に係合され、反対に、把手部材４０をボトル本体１０に対して相対的に時計回りに９０°回転させると、係合部４９が第二被係合部２５に係合される。これにより、ボトル本体１０と把手部材４０との相対回転が規制される。
以上により、ボトル本体１０に把手部材４０が装着される。
【００２７】
上述した構成からなる把手付ボトル容器１は、ボトル本体１０内の内容物の量に応じて把手部材４０の向き（中心軸線Ｏ周りの位置）を換えて使用する。具体的に説明すると、ボトル本体１０内の内容物の量が多い場合、把手部材４０の係合部４９を第一被係合部２４に係合させる。これにより、図１、図２において実線で表すように、柄部４２の長さ方向中央部４２ａが中心軸線Ｏの上方に配置され、柄部４２が上側寄りに配設される。一方、ボトル本体１０内の内容物の量が少ない場合、把手部材４０を１８０°回転させて把手部材４０の係合部４９を第一被係合部２４から外して第二被係合部２５に係合させる。これにより、図１、図２において二点鎖線で表すように、柄部４２の長さ方向中央部４２ａが中心軸線Ｏの下方に配置され、柄部４２が下側寄りに配設される。
【００２８】
上記した構成からなる把手付きボトル容器１によれば、把手部材４０の回転中心（中心軸線Ｏ）が柄部４２の長さ方向中央部４２ａに対して偏心しており、把手部材４０を１８０°回転させることで柄部４２の上下方向の位置が２段階に調整されるため、内容物が収納されたボトル本体１０の重心位置に応じて柄部４２の上下方向位置を調節することができる。したがって、ボトル本体１０内の内容物の量が変化したときでも、ボトル本体１０の重心位置の変化に応じて柄部４２の上下方向位置を調節することで、注ぎ易くなったり持ち運び易くなったりし、取り扱い性を向上させることができる。
【００２９】
以上、本発明に係る把手付きボトル容器の実施の形態について説明したが、本発明は上記した実施の形態に限定されるものではなく、その趣旨を逸脱しない範囲で適宜変更可能である。
例えば、上記した実施の形態では、ボトル軸Ｌと平行に延在する垂直壁２１に装着凸部３０が設けられ、装着凸部３０の中心軸線Ｏがボトル軸Ｌに対して直交しており、さらに、把手部材４０の柄部４２がボトル軸Ｌと平行に延在されているが、本発明は、ボトル軸Ｌに対して傾斜した傾斜壁に装着凸部３０が設けられ、装着凸部３０の中心軸線Ｏがボトル軸Ｌの垂直面に対して傾斜した方向に延在されていてもよく、また、ボトル径方向内側に湾曲した湾曲壁に装着凸部３０が設けられていてもよい。また、把手部材４０の柄部４２がボトル軸Ｌに対して傾斜して延在されていてもよく、また、円弧状やその他の形状の柄部であってもよい。
【００３０】
また、上記した実施の形態では、支持部４３の先端に凸状の係合部４９が設けられ、ボトル本体１０の水平壁２２に第一被係合部２４が設けられ、ボトル本体１０の傾斜壁２３に第二被係合部２５が設けられているが、本発明は、係合部や一対の被係合部の位置や形状は適宜変更可能である。
例えば、図５、図６に示すように、支持部４３に、丸穴状の係合部１４９を形成し、ボトル本体１０の垂直壁２１に、装着凸部３０の中心軸線Ｏを上下方向に挟んで対称に配置された一対の円柱形状の被係合部１２４，１２５を設け、何れか一方の被係合部１２４，１２５が係合部１４９の中に嵌め込まれる構成にすることも可能である。
【００３１】
また、本発明は、図７に示すように、水平壁２２および傾斜壁２３に、左右方向に延在して両端が開放された溝状の第一、第二被係合部２２４、２２５が形成され、これら第一、第二被係合部２２４、２２５における左右方向の中央位置の底面に、間隔をあけて配置された左右一対の小リブ２２４ａ、２２５ａがそれぞれ突設された構成にすることも可能である。これにより、把手部材４０に設けられた係合部４９が、上記した第一、第二被係合部２２４、２２５のうちの何れか一方の内側に嵌め込まれ、さらに、上記した一対の小リブ２２４ａ（２２５ａ）間に嵌合されることで、把手部材４０のボトル本体１０に対する相対回転が規制される。
【００３２】
また、本発明は、図８に示すように、水平壁２２および傾斜壁２３に、左右方向に延在して一端（図８における左側）が閉塞され他端（図８における右側）が開放された溝状の第一、第二被係合部３２４、３２５が形成され、これら第一、第二被係合部３２４、３２５における一端部の底面に、当該被係合部３２４、３２５の一端面との間に間隔をおいて配置された小リブ３２４ａ、３２５ａがそれぞれ突設された構成にすることも可能である。これにより、把手部材４０に設けられた係合部４９が、上記した第一、第二被係合部３２４、３２５のうちの何れか一方の内側に嵌め込まれ、さらに、上記した小リブ３２４ａ（３２５ａ）と当該被係合部３２４、３２５の一端面との間に嵌合されることで、把手部材４０のボトル本体１０に対する相対回転が規制される。
【００３３】
さらに、係合部を設ける部分は支持部４３に限定されず、係合部を支持部４３以外の部分に設けることも可能であり、また、一対の被係合部は、装着凸部の中心軸線を装着凸部径方向に挟んで対称に配置されていればよく、上下に配置されてなく、左右或いは斜めに配置されていてもよい。例えば、装着部４１の側部に凸状の係合部を設け、垂直壁２１に一対の凹形状の被係合部を装着凸部３０の中心軸線Ｏを左右方向に挟んで対称に配設することも可能である。
【００３４】
また、上記した実施の形態では、装着部４１に設けられた当接部４５には凹部４６が形成されており、装着凸部本体３２の係合凹溝３６の底面に設けられた凸部３７が上記凹部４６に嵌合される構成になっているが、本発明は、上記した構成の装着凸部３０と装着部４１に限定されるものではない。
例えば、図９、図１０に示すように、装着凸部１３０は、左右両側部に略台形状の凹部１３２ａ，１３２ａがそれぞれ形成された構成の装着凸部本体１３２が円形台座部３１の先端面に設けられた構成からなる。装着凸部本体１３２の基端部外周面には、上述した実施の形態における装着凸部本体３２と同様に係合凹溝３６が形成されており、この係合凹溝３６の底面のうち上下端部分には、装着凸部１３０の径方向外側へ向けて突出した略半円形状の凸部１３７，１３７がそれぞれ形成されている。一方、装着部４１の装着孔４４の内周面には、上記した凹部１３２ａの内側に通すことができる略台形状の当接部１４５，１４５が対称に配設されている。
上記した当接部１４５，１４５を有する把手部材１４０を上記した装着凸部１３０に装着させるには、まず、図１１に示すように、凹部１３２ａ，１３２ａに当接部１４５，１４５を嵌め込むようにして、ボトル本体１０の装着凸部１３０に把手部材１４０の装着部４１を嵌める。次に、把手部材１４０とボトル本体１０とを装着凸部１３０の中心軸線Ｏ周りに相対的に回転させる。この相対回転に伴い、各当接部１４５，１４５が係合凹溝３６の内側にそれぞれ収容される。そして、ボトル本体１０と把手部材４０とが相対的に９０°回転したところで、各当接部１４５，１４５が上下の凸部１３７，１３７にそれぞれ密接される。このとき、円環状の装着部４１を上下の凸部１３７，１３７によりボトル軸Ｌ方向に伸ばして楕円に変形させ、装着部４１の左右部分が円形台座部３１を挟持するように構成することもできる。これにより、ボトル本体１０に対する把手部材１４０の相対回転が規制される。
【００３５】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００３６】
【図１】本発明の実施の形態である把手付ボトル容器を把手取付面側から見た側面図である。
【図２】本発明の実施の形態である把手付ボトル容器を把手取付面に直交する方向から見た側面図である。
【図３】図１に示す把手部材の一部を破断させた破断図である。
【図４】図１に示す把手部材の装着部を装着凸部に嵌めた状態を表した側面図である。
【図５】本発明の他の実施の形態である把手付ボトル容器を把手取付面側から見た側面図である。
【図６】本発明の他の実施の形態である把手付ボトル容器を把手取付面に直交する方向から見た側面図である。
【図７】本発明の他の実施の形態である把手付ボトル容器を把手取付面側から見た側面図である。
【図８】本発明の他の実施の形態である把手付ボトル容器を把手取付面側から見た側面図である。
【図９】本発明の他の実施の形態である把手付ボトル容器を把手取付面側から見た側面図である。
【図１０】本発明の他の実施の形態である把手付ボトル容器を把手取付面に直交する方向から見た側面図である。
【図１１】図７に示す把手部材の装着部を装着凸部に嵌めた状態を表した側面図である。
【符号の説明】
【００３７】
１  把手付ボトル容器
１０  ボトル本体
１２  底部
１４  口部
２４、１２４、２２４、３２４  第一被係合部（被係合部）
２５、１２５、２２５、３２５  第二被係合部（被係合部）
３０、１３０  装着凸部
４０、１４０  把手部材
４１  装着部
４２  柄部
４２ａ  長さ方向中央部
４４  装着孔
４９、１４９  係合部
Ｌ  ボトル軸
Ｏ  中心軸線
【図１】
2008296937.tif 000003
【図２】
2008296937.tif 000004
【図３】
2008296937.tif 000005
【図４】
2008296937.tif 000006
【図５】
2008296937.tif 000007
【図６】
2008296937.tif 000008
【図７】
2008296937.tif 000009
【図８】
2008296937.tif 000010
【図９】
2008296937.tif 000011
【図１０】
2008296937.tif 000012
【図１１】
2008296937.tif 000013